(57)【特許請求の範囲】
【請求項１】
ＵＲＬを指定したアクセス要求を端末装置から受け付ける受付手段と、
前記アクセス要求において指定された前記ＵＲＬが第１のＵＲＬである場合、前記端末装置に簡易アクセス手段として登録させるために、前記ＵＲＬを第２のＵＲＬに書き換えるＵＲＬ書換部と、
前記アクセス要求において指定された前記ＵＲＬが前記第２のＵＲＬである場合、前記簡易アクセス手段の登録を促す処理を行わずに前記端末装置を利用するユーザに対して特典を付与する付与部と、
を備えるシステム。
【請求項２】
前記ＵＲＬ書換部は、前記端末装置にポップアップを表示させることを特徴とする、請求項１に記載のシステム。
【請求項３】
前記ポップアップは、前記特典に係る説明を含むことを特徴とする、請求項２に記載のシステム。
【請求項４】
前記特典は、前記簡易アクセス手段が登録された前記端末装置のホーム画面の表示領域に応じて決定されることを特徴とする、請求項１乃至３のいずれか一項に記載のシステム。
【請求項５】
前記表示領域は、スクロール可能なスクリーンと、前記スクリーンが切り替わっても固定して表示されるドックとを含むことを特徴とする、請求項４に記載のシステム。
【請求項６】
前記簡易アクセス手段が登録された表示領域が前記ドックである場合、前記ドック以外に登録された場合よりも価値の高い特典を付与することを特徴とする、請求項５に記載のシステム。
【請求項７】
受付手段と、ＵＲＬ書換部と、付与部と、を備えるシステムの制御方法であって、
前記受付手段が、ＵＲＬを指定したアクセス要求を端末装置から受け付けるステップと、
前記ＵＲＬ書換部が、前記アクセス要求において指定された前記ＵＲＬが第１のＵＲＬである場合に、前記端末装置に簡易アクセス手段として登録させるために、前記ＵＲＬを第２のＵＲＬに書き換えるステップと、
前記付与部が、前記アクセス要求において指定された前記ＵＲＬが前記第２のＵＲＬである場合に、前記簡易アクセス手段の登録を促す処理を行わずに前記端末装置を利用するユーザに対して特典を付与するステップと、
を実行する制御方法。
【請求項８】
コンピュータを、
端末装置のアクセス要求において指定されたＵＲＬが第１のＵＲＬである場合、前記端末装置に簡易アクセス手段として登録させるために、前記ＵＲＬを第２のＵＲＬに書き換えるＵＲＬ書換部、及び、
前記アクセス要求において指定された前記ＵＲＬが前記第２のＵＲＬである場合、前記簡易アクセス手段の登録を促す処理を行わずに前記端末装置を利用するユーザに対して特典を付与する付与部、
として機能させるプログラム。
【発明の詳細な説明】
【技術分野】
【０００１】
本発明は、システム、制御方法、プログラムに関する。
【背景技術】
【０００２】
ＷＥＢサイトの閲覧中に、ユーザが気にいったページのＵＲＬを登録しておくためのブックマークに関する技術が多く見られている。例えば、特許文献１には、検索エンジンによる検索の検索条件ごとに分類された検索結果を有するブックマークを生成するインターネット端末について開示されている。
【先行技術文献】
【特許文献】
【０００３】
【特許文献１】特開２０００−２０５３６号公報
【発明の概要】
【発明が解決しようとする課題】
【０００４】
しかしながら、特許文献１に開示されたブックマーク管理装置のような、従来のブックマーク機能では、ブックマークを登録するか否かは、ユーザの個人的な興味や気分に依るところが大きいため、ＷＥＢサイト側から積極的にブックマークしてもらうための働きかけをすることが困難である。このような働きかけとして、例えば、ウェブページの提供者は、当該ウェブページをブックマークしてもらうために、ブックマークを追加するためのボタンをホームページ上の目立つ位置に設けて、ユーザが当該ページをブックマークすることを容易にすることなどが行われている。当初、そのようなボタンが目新しかったときは、ユーザがそのボタンを押して、ブックマークが追加されることがあったものの、そのような手法が陳腐化してしまうと、ボタンを設置するだけでは、ユーザにブックマークを登録してもらうことが難しくなっている。
【０００５】
そこで、本発明は、上記事情に鑑み、ユーザがブックマークやショートカット等の簡易アクセス手段を登録することを促進すべく、所定の画面の簡易アクセス手段を登録したユーザに対して特典を付与することが可能なシステム、制御方法、プログラムを提供することを目的とするものである。
【課題を解決するための手段】
【０００６】
本発明の所定の実施形態に係るシステムは、ＵＲＬを指定したアクセス要求を端末装置から受け付ける受付手段と、前記アクセス要求において指定された前記ＵＲＬが第１のＵＲＬである場合、前記端末装置に簡易アクセス手段として登録させるために、前記ＵＲＬを第２のＵＲＬに書き換えるＵＲＬ書換部と、前記アクセス要求において指定された前記ＵＲＬが前記第２のＵＲＬである場合、前記簡易アクセス手段の登録を促す処理を行わずに前記端末装置を利用するユーザに対して特典を付与する付与部と、を備える。
【０００７】
ここで、簡易アクセス手段とは、端末装置のホーム画面等から特定のアプリケーションや特定のＷＥＢコンテンツへとアクセスする機能を含む。例えばブラウザ上にＵＲＬを登録するブックマークや、ホーム画面に登録する所定のＵＲＬのＷＥＢクリップや所定のＵＲＬへのショートカットが紐付けられたアイコン等が含まれるがこれに限定されるものではない。
【０００８】
また、前記ＵＲＬ書換部は、前記端末装置にポップアップを表示させることが望ましい。
【０００９】
さらに、前記ポップアップは、前記特典に係る説明を含むことを特徴とする。
【００１０】
また、前記特典は、前記簡易アクセス手段が登録された前記端末装置のホーム画面の表示領域に応じて決定されることが望ましい。
【００１１】
また、前記表示領域は、スクロール可能なスクリーンと、前記スクリーンが切り替わっても固定して表示されるドックとを含むことが望ましい。また、前記簡易アクセス手段が登録された表示領域が前記ドックである場合、前記ドック以外に登録された場合よりも価値の高い特典を付与することが望ましい。
【００１２】
また、本発明の所定の実施形態に係る制御方法は、受付手段と、ＵＲＬ書換部と、付与部と、を備えるシステムの制御方法であって、前記受付手段が、ＵＲＬを指定したアクセス要求を端末装置から受け付けるステップと、前記ＵＲＬ書換部が、前記アクセス要求において指定された前記ＵＲＬが第１のＵＲＬである場合に、前記端末装置に簡易アクセス手段として登録させるために、前記ＵＲＬを第２のＵＲＬに書き換えるステップと、前記付与部が、前記アクセス要求において指定された前記ＵＲＬが前記第２のＵＲＬである場合に、前記簡易アクセス手段の登録を促す処理を行わずに前記端末装置を利用するユーザに対して特典を付与するステップと、を実行することを含む。
【００１３】
また、本発明の所定の実施形態に係るプログラムは、コンピュータを、端末装置のアクセス要求において指定されたＵＲＬが第１のＵＲＬである場合、前記端末装置に簡易アクセス手段として登録させるために、前記ＵＲＬを第２のＵＲＬに書き換えるＵＲＬ書換部、及び、前記アクセス要求において指定された前記ＵＲＬが前記第２のＵＲＬである場合、前記簡易アクセス手段の登録を促す処理を行わずに前記端末装置を利用するユーザに対して特典を付与する付与部、として機能させる。
【００１４】
「システム」とは、情報処理装置等から構成される、特定の機能をユーザに提供するためのシステムを含む。例えば、サーバ装置、クラウドコンピューティング形態のもの、ＡＳＰ（Ａｐｐｌｉｃａｔｉｏｎ  Ｓｅｒｖｉｃｅ  Ｐｒｏｖｉｄｅｒ）、クライアントサーバモデルのもの、などにより構成されるが、これに限られるものではない。
【００１５】
また、本発明のプログラムは、ＣＤ−ＲＯＭ等の光学ディスク、磁気ディスク、半導体メモリなどの各種の記録媒体を通じて、又は通信ネットワークなどを介してダウンロードすることにより、コンピュータにインストール又はロードすることができる。
【００１６】
また、本明細書等において、「部」とは、単に物理的構成を意味するものではなく、その構成が有する機能をソフトウェアによって実現する場合も含む。また、１つの構成が有する機能が２つ以上の物理的構成により実現されても、２つ以上の構成の機能が１つの物理的構成により実現されてもよい。
【発明の効果】
【００１７】
本発明によれば、所定の画面をブックマークに追加したユーザに対して特典を付与することが可能となる。その結果、ユーザがブックマークを登録することを促進することができる。
【図面の簡単な説明】
【００１８】
【図１】本発明の第１の実施形態におけるゲームシステムの構成図である。
【図２】本発明の第１の実施形態におけるサーバ装置のブロック図である。
【図３】本発明の第１の実施形態におけるユーザ情報テーブルを示す図である。
【図４】本発明の第１の実施形態におけるゲーム履歴情報テーブルを示す図である。
【図５】本発明の第１の実施形態におけるホーム画面を示す図である。
【図６】本発明の第１の実施形態におけるサーバ装置が提供するゲームの画面をユーザがブックマーク登録する際の動作を模式的に示す図である。
【図７】本発明の第１の実施形態にサーバ装置の処理フローを示すチャートである。
【発明を実施するための形態】
【００１９】
以下、本発明の実施の形態の１つについて詳細に説明する。なお、以下の実施の形態は、本発明を説明するための例示であり、本発明をその実施の形態のみに限定する趣旨ではない。また、本発明は、その要旨を逸脱しない限り、さまざまな変形が可能である。さらに、当業者であれば、以下に述べる各要素を均等なものに置換した実施の形態を採用することが可能であり、かかる実施の形態も本発明の範囲に含まれる。またさらに、必要に応じて示す上下左右等の位置関係は、特に断らない限り、図示の表示に基づくものとする。さらにまた、図面における各種の寸法比率は、その図示の比率に限定されるものではない。また、以下においては、理解を容易にするべく、ゲーム用の情報処理装置を利用して本発明が実現される実施の形態を例にとって説明するが、上述の如く、本発明はそれに限定されない。
【００２０】
図１は、本実施形態に係るゲームシステム１０のシステム構成図を示している。図１に示すように、ゲームシステム１０は、サーバ装置１００及び携帯端末２００を含む。サーバ装置１００は、インターネットや専用線等のネットワーク３００に接続されたサーバ用コンピュータである。また、このサーバ装置１００と同じく、ネットワーク３００に有線または無線で接続された端末装置である携帯端末２００が、互いに通信可能に設定されることにより、ゲームシステム１０を構成する。なお、本実施形態において、ゲームシステム１０は、サーバ装置１００と携帯端末２００を含むものとして説明するが、これに限定されるものではない。例えば、ゲームシステム１０は、クラウドコンピューティング形式のシステムとして構成されてもよい。この場合、ユーザは、ゲームシステム１０のコンピュータ処理をネットワーク経由でサービスとして利用する。また、ゲームシステム１０は、ＡＳＰのサーバを含むシステムとして構成されてもよい。
【００２１】
携帯端末２００は、ネットワーク３００を介してサーバ装置１００と通信する機能を備えた情報処理装置である。具体的には、携帯電話やスマートフォン、ノートＰＣ、ＰＤＡ、タブレット等が挙げられるが、これに限られない。図１には図示しないが、携帯端末２００は、ＣＰＵ及びメモリを含む制御部、ネットワーク３００と接続するための通信部、ユーザからの操作を受け付けるタッチパネル等の入力部、カードやデッキを表示する表示部、所定のＵＲＬへのかにアクセス手段を記録する記録部を備えている。
【００２２】
簡易アクセス手段は、所定のＵＲＬへアクセスするために、ブラウザ上に追加されるブックマークや、ホーム画面に追加されるショートカットが紐付けられたアイコン、また、ＷＥＢクリップ等であってもよい。
【００２３】
なお、本実施形態では、ユーザがサーバ装置１００にアクセスするために用いる端末を携帯端末２００としているが、必ずしも携帯可能な端末装置に限定されるものでなく、サーバ装置１００にアクセス可能な端末であればよく、例えば、可搬性を有さないデスクトップＰＣなどの端末装置であってもよい。
【００２４】
まず、ゲームシステム１０の概要を説明する。サーバ装置１００は、ユーザにソーシャルゲームを含む各種ゲームを提供する。サーバ装置１００は、提供するゲームへアクセスするためのＵＲＬへの簡易アクセス手段が、携帯端末２００に登録されたと判定した際に、アクセス要求を行ったユーザに対して特典を付与する。特典とは、例えば、ゲームアイテムや、ゲームアイテムを抽選する権利などであってもよい。
【００２５】
なお、本実施形態では、ユーザの端末に簡易アクセス手段が登録されたと判断された場合、ユーザに対して特典を付与するとして説明するが、これに限らない。例えば、簡易アクセス手段として、ホーム画面上でショートカットが紐付けられたアイコンを追加すること、かつ、ブラウザ等のＷｅｂ表示用のアプリのブックマーク用リストに追加することの両方をユーザが行うことを条件として、特典を付与するようにしてもよい。この場合ゲーム開始までの導線が多くなり、ユーザをゲームへ誘導しやすくなるため、ソーシャルゲームの活性化につながる。
【００２６】
さらに、本実施形態では、簡易アクセス手段を登録したユーザに対して特典を１回だけ付与するものとして説明するが、これに限らない。例えば、ＤＡＵ（Daily Active Users）、ＭＡＵ（Monthly Active Users）を検知することによって、ログイン回数に応じて特典の付与を行ってもよい。具体的には、ログイン回数の多いトップ画面に関する簡易アクセス手段を登録したユーザには特典を付与することなく、ログイン回数の少ないトップ画面に関する簡易アクセス手段を登録したユーザには特典を付与するとしてもよい。
【００２７】
さらに付け加えると、本実施形態では、ユーザは簡易アクセス手段を携帯端末２００に登録すれば、もれなく特典が付与されるとして説明するが、これに限らない。例えば、簡易アクセス手段を、所定のアナウンスから１週間以内に登録したユーザのみに対して、特典を付与してもよい。勿論、１週間以内でもよいし、１ヶ月でもよい。
【００２８】
次に、図２を用いて、このようなゲームシステム１０を実現するための、サーバ装置１００の各構成について説明する。図２は、サーバ装置１００のブロック図である。図２に示すように、サーバ装置１００は、制御部１２０と、入力部１５０と、記憶部１３０と、通信部１１０とを備えている。
【００２９】
制御部１２０は、ＣＰＵやＭＰＵなどの演算処理部１２１、ＲＡＭなどのメモリ１２２及び画像処理部（不図示）を備えている。演算処理部１２１は、各種入力に基づき、記憶部１３０に記録されたプログラムを実行することで、各種機能部を動作させるものである。このプログラムは、ＣＤ−ＲＯＭ等の記録媒体に記憶され、もしくはネットワーク３００を介して配布され、コンピュータにインストールされるものであってもよい。メモリ１２２は、サーバ用プログラム及びゲームプログラム、ならびに、これらのプログラムにおいて処理の実行中に、演算等に必要な各種データを、一時的に記憶するためのものである。
【００３０】
入力部１５０は、サーバ装置１００の管理者からの操作を受け付けるように構成され、キーボードやマウス、タッチパネル等によって実現することができる。
【００３１】
記憶部１３０は、ハードディスク等の記憶装置によって構成され、制御部１２０における処理の実行に必要な各種プログラムや、各種プログラムの実行に必要なデータ等を記録しておくものである。具体的には、記憶部１３０は、ユーザ情報テーブル１３１及び複数のゲーム履歴情報テーブル１３２を有していることが望ましい。
【００３２】
図３はユーザ情報テーブル１３１、図４はゲーム履歴情報テーブル１３２を示す図である。ユーザ情報テーブル１３１には、図３に示すように、ユーザＩＤ、パスワード、ユーザ登録を行ったゲームのゲームＩＤが対応づけられて格納されている。また、図４に示すようにゲーム履歴情報テーブル１３２には、ゲームごとに、当該ゲームをユーザ登録したユーザのユーザＩＤ、ユーザ登録日時、特典付与回数、アクセス回数が対応付けられて格納されている。
【００３３】
図２に戻り、サーバ装置１００の構成の続きを説明する。
【００３４】
通信部１１０は、サーバ装置１００をネットワーク３００に接続するように構成される。例えば、通信部１１０は、ＬＡＮカード、アナログモデム、ＩＳＤＮモデム等、及び、これらをシステムバス等の伝送路を介して処理部と接続するためのインタフェースから実現することができる。
【００３５】
さらに、図２に示すように、演算処理部１２１は、機能部として、ＵＲＬ書換部１２１１と、判定部１２１２と、付与部１２１３と、を備えている。
【００３６】
ＵＲＬ書換部１２１１は、簡易アクセス手段に紐付けられるＵＲＬを書き換える。例えば、所定の画面（ページ）にアクセス要求を行ったユーザが特典を未取得である場合、表示する画面のＵＲＬを書き換える。そして、ホーム画面またはブラウザ上への簡易アクセス手段の追加を促すポップアップを表示させる。これによって、書換後のＵＲＬに対してアクセス要求を行ったユーザは、簡易アクセス手段を登録済みであると判断することが可能になる。さらに、ＵＲＬ書換部１２１１は、ホーム画面に登録させるＵＲＬとブラウザ上に追加させるＵＲＬとで、異なるＵＲＬへ書き換えることが望ましい。
【００３７】
この書き換えは、例えばＵＲＬの末尾に「#bookmarked」等の識別子を追記するものであってもよいし、ユーザＩＤをハッシュ化した値のような、ユーザごとに異なる文字列を追記するものであってもよい。なお、ユーザごとに異なる文字列を追記する場合には、ＵＲＬ書換部１２１１は、追記した文字列を対応するユーザのゲーム履歴情報テーブル１３２に格納する。このＵＲＬ書換部１２１１のＵＲＬ書換処理によって、ユーザがトップ画面への簡易アクセス手段を携帯端末２００に登録する際に、通常のＵＲＬとは異なるＵＲＬを登録させることができる。
【００３８】
判定部１２１２は、アクセス要求を行ったユーザが特典を付与する対象となるユーザか否かを判定する。具体的には、アクセス要求先のＵＲＬに所定の文字列が含まれるか否かを判定することで、アクセス要求先のＵＲＬが簡易アクセス手段の登録用に書き換えられたものであるか否かを判定する。判定部１２１２は、当該ユーザが特典をすでに付与されたことがあるユーザであるか否かを判定するものとしてもよい。
【００３９】
付与部１２１３は、簡易アクセス手段からアクセス要求を行った携帯端末２００のユーザに対して特典を付与する。付与部１２１３は、携帯端末２００に登録された簡易アクセス手段の数に応じて、特典を付与するとしてもよい。さらに付与部１２１３は、ユーザが簡易アクセス手段を登録した携帯端末２００上の場所に応じて、特典を付与するものとしてもよい。具体的には、例えば、携帯端末２００が、ＯＳ内のディレクトリ構成（ゲームアイコンの保存場所）を参照し、このディレクトリ構成をサーバ装置１００に送信する。付与部１２１３は、送信されたディレクトリ構成に基づいて、簡易アクセス手段の登録場所を検出することができる。また、簡易アクセス手段が追加されたことを検知するプログラムを用いて、簡易アクセス手段が追加されたときに、その登録場所をサーバ装置１００の付与部１２１３に通知することにより、管理アクセス手段の登録場所を検出するものとしてもよい。
【００４０】
図５は携帯端末のホーム画面を模式的に示す図である。本実施形態では、携帯端末２００のホーム画面は、スクロール可能な複数のスクリーン２０１と、スクリーンが切り替わっても、固定して表示されるドック２０２とから構成されている。付与部１２１３は、例えば、ドック２０２にショートカットが紐付けられたアイコンを追加した場合に、最も付与する特典を高くし、ホーム画面２０１及びブラウザに追加した場合は、低めの特典を付与するものとしてもよい。さらに、図５のようにホーム画面が複数のスクリーンから構成されている場合は、特定のスクリーンに追加されたアイコンである場合に特典を高くしてもよい。
【００４１】
付与部１２１３は、特典を付与すると、ゲーム履歴情報テーブル１３２の特典付与回数を更新する。
【００４２】
図６は、本実施形態におけるサーバ装置１００が提供するゲームの画面についてユーザが簡易アクセス手段として、所定のＵＲＬへのショートカットが紐付けられたアイコンを登録する際の動作を模式的に示す図である。
【００４３】
アイコンの追加をまだ行っていないユーザが携帯端末２００を操作し、ブラウザが起動する（図６（Ａ））。携帯端末２００のブラウザが起動すると、図６（Ａ）及び（Ｂ）の下端部に図示されているとおり、ユーザがタッチ操作可能なフッタが表示される。
【００４４】
フッタには、戻る５１１、進む５１２、ホームに追加５１３、切替５１４が表示されている。
【００４５】
戻る５１１は、過去に参照したブラウザの画面に戻す機能を有するボタンである。進む５１２は、過去に参照したブラウザの画面に進める機能を有する。ホームに追加５１３は、現在参照しているＵＲＬ、アイコンの画像（例えばサムネイル画像等）及び簡易アクセス手段（ショートカット等）の名前を関連付けたアイコンを携帯端末２００に登録する機能を有する。ホームに追加５１３は、ブラウザ等のＷｅｂページを表示するアプリにおいて、ショートカット機能としてリスト上で登録することでもよい。また、切替５１４は、複数のブラウザの画面を切り替えることができる。
【００４６】
ユーザが、ブラウザからサーバ装置１００に対してプラットフォーム画面へのアクセス要求を行うと、サーバ装置１００の演算処理部１２１は、ゲームの一覧を表示するプラットフォーム画面を携帯端末２００に表示させる。このプラットフォーム画面から、ユーザは気に入ったゲームを選択することができる。ゲームを選択すると、ブラウザに表示される画面が、プラットフォーム画面から当該ゲームのトップ画面へのアクセス要求が送信される。このときトップ画面へのアクセス要求として送信されているＵＲＬは「http://www.aaa.bbb.net/12345」である。
【００４７】
サーバ装置１００がアクセス要求を受信すると、判定部１２１２は、選択されたゲームに関するゲーム履歴情報テーブル１３２を参照し、アクセス要求を行ったユーザが特典を未取得のユーザであるか否かを判定する（図６の矢印１）。ゲーム履歴情報テーブル１３２上の特典付与回数が１回以上であり、既に特典を付与されたユーザであると判定部１２１２が判定した場合、アクセスされたＵＲＬ「http://www.aaa.bbb.net/12345」に基づいて、演算処理部１２１はトップ画面を携帯端末２００に表示させる（図６（Ａ））。
【００４８】
一方、判定部１２１２は、ゲーム履歴情報テーブル１３２上の特典付与回数が０回であり特典を未取得のユーザであると判定した場合には、さらに、アクセス要求されたＵＲＬを確認し、簡易アクセス手段からのアクセスか否かを判断する。本実施例では、具体的には、ＵＲＬに所定の文字列（この例では「#bookmarked」という文字列）が含まれるかどうかによって簡易アクセス手段からのアクセスであるか否かを判定する。この例では、ユーザはアイコンを用いてアクセスを行っていないため、アクセス要求先のＵＲＬに「#bookmarked」という所定の文字列は含まれていない。そのため、判定部１２１２は、アイコンを用いたアクセスではないと判定し、ＵＲＬ書換部１２１１は、トップ画面のＵＲＬを書き換える（図６の矢印２）。例えば、図６の場合、「http://www.aaa.bbb.net/12345」というトップ画面の通常のＵＲＬに「#bookmarked」という文字列を付加して、「http://www.aaa.bbb.net/12345#bookmarked」とする。なお、ＵＲＬが「http://www.aaa.bbb.net/12345」であるトップ画面と、ＵＲＬが「http://www.aaa.bbb.net/12345#bookmarked」であるトップ画面とは、ＵＲＬは異なるが同一の内容を表示するものであることが望ましい。このとき、トップ画面を記述したドキュメントの冒頭に、「bookmarked」という文字列のアンカーを設定しておけば、「#bookmarked」という文字列を付加したＵＲＬであっても、当該トップ画面が表示されることになる。また、演算処理部１２１は、ＵＲＬを書き換えたトップ画面を表示するとともに、『ホームページに登録してＸＸＸへ簡単アクセス！』というポップアップ画面をユーザに表示する（図６（Ｂ））。
【００４９】
表示された公告のポップアップは、ホームに追加５１３と同等の機能を有している。ユーザが表示されたポップアップをタップすると、現在参照しているブラウザのＵＲＬ（「http://www.aaa.bbb.net/12345#bookmarked」）、アイコン画像及びショートカットの名前が入力できる画面が表示される（図６（Ｃ）、矢印３）。ユーザがシュートカットの名前を決定すると、現在参照しているブラウザのＵＲＬ、アイコン画像及びショートカットの名前が関連付けられ、携帯端末２００のホーム画面上にアイコン５００が追加される（図６（Ｄ）、矢印４）。
【００５０】
次に、ユーザがアイコン５００を用いてトップ画面にアクセスするときの処理を説明する。ユーザがホーム画面に追加したアイコン５００をタップして、トップ画面へとアクセスを行う場合、紐付けられたショートカットに関連するＵＲＬが参照され、トップ画面へとアクセスされる（図６（Ｅ）、矢印５）。
【００５１】
次に、図７を用いて、簡易アクセス手段の追加処理のフローを説明する。なお、以下に説明する処理のフローに含まれる各処理ステップは、処理内容に矛盾を生じない範囲で、任意に順番を変更して又は並列に実行することができるとともに、各処理ステップ間に他のステップを追加してもよい。また、便宜上１ステップとして記載されているステップは、複数ステップに分けて実行することができる一方、便宜上複数ステップに分けて記載されているものは、１ステップとして把握することができる。
【００５２】
まず、ユーザが携帯端末２００を操作することにより、携帯端末２００をサーバ装置１００へアクセスさせる。アクセス時に携帯端末２００から、プラットフォーム画面の閲覧要求が送信されると、制御部１２０は、プラットフォーム画面を携帯端末２００に表示させる。プラットフォーム画面とは、サーバ装置１００が提供するゲームが一覧で表示されている画面であることが望ましい。
【００５３】
さらに、ユーザが携帯端末２００を操作することにより、プラットフォーム画面に表示されるゲームから、任意のゲームを選択することで、トップ画面へのアクセス要求がサーバ装置１００に送信される。トップ画面において、ユーザが選択したゲームのユーザ登録を行うことで、ユーザのレコードがゲーム履歴情報テーブル１３２に作成され、ユーザ登録日時が格納される。
【００５４】
サーバ装置１００が、トップ画面へのアクセス要求を受信する（Ｓ１００）と、判定部１２１２は、このアクセス要求を行ったユーザが特典を取得済みのユーザであるか否かを、アクセス要求されているゲームのゲーム履歴情報テーブル１３２を参照して判定する（Ｓ２００）。当該ユーザのゲーム履歴情報テーブル１３２の特典付与回数が、０回でない場合、判定部１２１２は、このユーザは既に特典を取得済みのユーザであると判定する（Ｓ２００：ＹＥＳ）。このとき演算処理部１２１は、特典付与処理は実効せず、トップ画面を携帯端末２００に送信し表示させる（Ｓ３００）。ただし、特典を付与したか否かに限らず、特典を付与した回数が所定の回数未満か否かに応じて特典を付与するものとしてもよい。
【００５５】
アクセス要求を行ったユーザのゲーム履歴情報テーブル１３２の特典付与回数が０回である場合、判定部１２１２は、さらに、このアクセス要求が簡易アクセス手段を用いて行われたものか否かを判定する（Ｓ２１０）。具体的には、アクセス要求先のＵＲＬが簡易アクセス手段の登録用にＵＲＬ書換部１２１１によって書き換えられたＵＲＬ（例えば末尾に「#bookmarked」という識別子が追加されたＵＲＬ）であるか否かを判定する。判定部１２１２が、簡易アクセス手段を用いて行われたアクセス要求であると判定した場合（Ｓ２１０：ＹＥＳ）には、付与部１２１３が、特典付与処理を実行する（Ｓ２２０）。このとき付与される特典は、ユーザが簡易アクセス手段の登録を行ったゲームの数に基づいて決定されるものとしてもよい。また、簡易アクセス手段が登録されている場所（例えばホーム画面上のドック２０２、スクリーン２０１、ブラウザ等）に基づいて付与されるものとしてもよい。特典付与処理完了後に、演算処理部１２１は、携帯端末２００にトップ画面を表示させる（Ｓ３００）。
【００５６】
一方で、判定部１２１２が簡易アクセス手段からのアクセス要求でないと判定した場合（Ｓ２１０：ＮＯ）、演算処理部１２１は、簡易アクセス手段の登録を促す処理を行う。具体的には、図６（Ｂ）に示すようなポップアップ５０１を携帯端末２００に表示させる。このポップアップは、簡易アクセス手段を携帯端末２００に登録することで付与される特典について説明がされているものとしてもよい。このとき、ＵＲＬ書換部１２１１は、トップ画面のＵＲＬの末尾に、「#bookmarked」という識別子を追加したショートカット登録用のＵＲＬに書き換える（Ｓ２１１）。ポップアップを表示した後、演算処理部１２１は、携帯端末２００にトップ画面を表示させる（Ｓ３００）。なお、Ｓ２２０の特典付与処理を実行するタイミングは、携帯端末２００が簡易アクセス手段を用いてアクセス要求を送信した場合（図６の例では、（Ａ）〜（Ｅ）を一巡してアイコンの追加が完了した後に、追加したアイコンを用いてアクセスした場合）に限らず、例えばＳ２１１でＵＲＬを書き換えたとき（図６の例では、初回アクセス時に、（Ｂ）〜（Ｄ）までの操作を行い、アイコンをホーム画面に追加したとき）としてもよい。
【００５７】
このように、判定部１２１２は、アクセスされたＵＲＬに「#bookmarked」などの所定の文字列が付加されているか否かを参照し、ユーザが携帯端末２００に登録したアイコンを用いてアクセスしたか否かを判別することができる。また、付与部１２１３は、ユーザが所定のアイコンからアクセスしてきた場合に特典を付与することができ、ユーザに対して簡易アクセス手段の登録を行う動機付けを与えることができる。
【００５８】
［その他の実施形態］
以上、本発明の実施形態について述べたが、本発明は既述の実施形態に限定されるものではなく、本発明の技術的思想に基づいて各種の変形及び変更が可能である。
【００５９】
例えば、既述の実施形態において、携帯端末２００は、ネットワーク３００を介して、サーバ装置１００と直接アクセスする構成になっている。しかし、例えば、通信システムがＷＥＢサーバを有する場合には、携帯端末２００とのやりとりをＷＥＢサーバが中継する構成としてもよい。これによって、セキュリティ上のリスクを低減することが可能となる。
【００６０】
また、既述の実施形態において、ゲームシステム１０は、ゲームを提供するものとして説明したが、これに限定されず、例えば電子書籍、各種アプリケーション等を提供するものであってもよい。
【００６１】
また、ＵＲＬ書換部１２１１は、アクセス日時に応じてＵＲＬに追加する文字列を変更させるものであってもよい。これによって、ユーザからのアクセスが多かった時期等のトラッキングが容易になる。また、上述の実施形態では、「#bookmarked」という文字列を付加する実施例について述べたが、これに限られず、他の文字列を付加するものとしてもよい。また、ＵＲＬを書き換える際、ＵＲＬに所定の文字列を付加するものに限られず、異なるＵＲＬに書き換えるものとしてもよい。
【００６２】
なお、上述の実施形態において、ＵＲＬ書換部１２１１は、ＵＲＬを書き換える際に「#bookmarked」という文字列をＵＲＬに付加し、トップ画面を記述したドキュメントの冒頭に「bookmarked」等の文字列のアンカーを設定しておくことによって、「#bookmarked」等の文字列を付加したＵＲＬであっても、当該トップ画面が表示されるものとしたが、これに限らない。たとえば、トップ画面を記述したドキュメント内にアンカーを特に設定しなくても、「#bookmarked」等の文字列を付加したＵＲＬによって、当該トップ画面が表示されるものでもよい。
【００６３】
また、上述の実施形態において、ＵＲＬ書換部１２１１は、トップ画面にアクセスしたユーザが特典未取得ユーザであると判定された場合やユーザ登録を行ってからの期間に基づいて、ＵＲＬを書き換えるものとしたが、これに限られず、ＵＲＬを書き換える条件は任意の条件を設定し得るものである。また、特典未取得であるか否かに関わらず、所定のＵＲＬにアクセスされた場合にＵＲＬを書き換えて、書き換えられたＵＲＬをユーザの端末装置に送信するものとしてもよい。
【００６４】
また、上述の実施形態において、判定部１２１２は、ユーザに特典を付与する条件として、アクセス要求が簡易アクセス手段を用いて行われたものか否か、また、特典を付与された回数が一定値未満か否かを判定する構成として説明した。しかし、判定部１２１２はこれに限定されず、例えば、判定部１２１２は、サーバ装置１００のアクセスログを参照し、簡易アクセス手段として登録するように書き換えたＵＲＬに以前に当該ユーザがアクセスしたことがあるか否かを判定するものとしてもよい。アクセスログにこのユーザのアクセス履歴がなかった場合、ユーザは簡易アクセス手段用のＵＲＬを、例えば他のサイトの掲示板等から入手した蓋然性が高いと考えられる。そのため、アクセスログにアクセス履歴がないユーザは、特典付与処理において、特典を付与しない。一方、ＵＲＬを書き換えたトップ画面にアクセスしてきたユーザであって、アクセスログにアクセス履歴があるユーザは、通常のトップ画面において簡易アクセス手段を登録したユーザである蓋然性が高いため、特典付与処理において、特典を付与する。
【００６５】
さらに、判定部１２１２は、簡易アクセス手段を用いてアクセス要求を行ったユーザが、このページへアクセスした回数又は頻度を判定するものとすることも可能である。具体的にいうと、ユーザが、簡易アクセス手段を用いてトップ画面にアクセスしてきた回数がＮ回までか否かを判定するものとしてもよい。また、ユーザがＮ日間連続してアクセスしたか否かを判定するものとしてもよい。これらの判定を、判定部１２１２は、ゲーム履歴情報テーブル１３２のアクセス回数、又はトップ画面へのアクセス日時を参照することができる。
以下に、本願の原出願の出願当初の特許請求の範囲に記載された発明を付記する。
［１］
端末装置との通信機能を有するコンピュータに、
ＵＲＬを指定したアクセス要求を前記端末装置から受け付けるステップと、
前記アクセス要求において指定された前記ＵＲＬが第１のＵＲＬである場合、前記端末装置に第２のＵＲＬへの簡易アクセス手段の登録を促す処理を行うステップと、
前記アクセス要求において指定された前記ＵＲＬが前記第２のＵＲＬである場合、前記端末装置を利用するユーザに対して特典を付与するステップと、
を実行させる、プログラム。
［２］
前記登録を促す処理を行うステップは、前記端末装置にポップアップを表示させることを特徴とする、請求項１に記載のプログラム。
［３］
前記ポップアップは、前記特典に係る説明を含むことを特徴とする、請求項２に記載のプログラム。
［４］
前記特典は、前記簡易アクセス手段が登録された前記端末装置上の場所に応じて決定されることを特徴とする、請求項１乃至３のいずれか一項に記載のプログラム。
［５］
端末装置との通信機能を有するコンピュータが、
ＵＲＬを指定したアクセス要求を前記端末装置から受け付けるステップと、
前記アクセス要求において指定された前記ＵＲＬが第１のＵＲＬである場合、前記端末装置に第２のＵＲＬへの簡易アクセス手段の登録を促す処理を行うステップと、
前記アクセス要求において指定された前記ＵＲＬが前記第２のＵＲＬである場合、前記端末装置を利用するユーザに対して特典を付与するステップと、
を実行する制御方法。
［６］
端末装置との通信機能を有するサーバであって、
ＵＲＬを指定したアクセス要求を前記端末装置から受け付ける受付手段と、
前記アクセス要求において指定された前記ＵＲＬが第１のＵＲＬである場合、前記端末装置に第２のＵＲＬへの簡易アクセス手段の登録を促す処理を行う演算処理部と、
前記アクセス要求において指定された前記ＵＲＬが前記第２のＵＲＬである場合、前記端末装置を利用するユーザに対して特典を付与する付与部と、
を備えるサーバ。
【符号の説明】
【００６６】
１０  ゲームシステム
１００  サーバ装置
１１０  通信部
１２０  制御部
１２１  演算処理部
１２１１  ＵＲＬ書換部
１２１２  判定部
１２１３  付与部
１３０  記憶部
１３１  ユーザ情報テーブル
１３２  ゲーム履歴情報テーブル
１４０  表示部
１５０  入力部
２００  携帯端末
３００  ネットワーク
【図１】
0006009051.tif 000002
【図２】
0006009051.tif 000003
【図３】
0006009051.tif 000004
【図４】
0006009051.tif 000005
【図５】
0006009051.tif 000006
【図６】
0006009051.tif 000007
【図７】
0006009051.tif 000008